(57)【要約】【課題】環境に悪影響が少なく、貯蔵安定性が良好で、噴霧時にノズル詰まりがなく、撥水性などのワックス性能が良好な水性ワックス組成物を提供すること。【解決手段】（Ａ）分子内にエステル基を有する天然ワックス、（Ｂ）炭素数１０以上の長鎖炭化水素基を２個有し、この長鎖炭化水素基の少なくとも１個と４級化された窒素原子が、エステル結合、アミド結合、エーテル結合の少なくとも１種を介して結合している第４級アンモニウム塩型カチオン界面活性剤、（Ｃ）ＨＬＢ１０以上の非イオン界面活性剤、炭素数１０以上の炭化水素基を１個のみ有する両性界面活性剤、同型のアミノ酸型界面活性剤、同型のペプチド型界面活性剤、同型のアミンオキシド型界面活性剤、同型のカチオン界面活性剤（但しカチオン界面活性剤が４級塩の場合は、長鎖炭化水素基と４級化された窒素原子が  エステル結合、アミド結合、エーテル結合の少なくとも１つを介して結合しているカチオン界面活性剤）から選択された１種以上の界面活性剤、および（Ｄ）アルコール系水溶性溶剤を必須成分とすることを特徴とする水性ワックス組成物。【選択図】なし【特許請求の範囲】
【請求項１】
（Ａ）分子内にエステル基を有する天然ワックス、（Ｂ）炭素数１０以上の長鎖炭化水素基を２個有し、この長鎖炭化水素基の少なくとも１個と４級化された窒素原子が、エステル結合、アミド結合、エーテル結合の少なくとも１種を介して結合している第４級アンモニウム塩型カチオン界面活性剤、（Ｃ）ＨＬＢ１０以上の非イオン界面活性剤、炭素数１０以上の炭化水素基を１個のみ有する両性界面活性剤、同型のアミノ酸型界面活性剤、同型のペプチド型界面活性剤、同型のアミンオキシド型界面活性剤、同型のカチオン界面活性剤（但しカチオン界面活性剤が４級塩の場合は、長鎖炭化水素基と４級化された窒素原子がエステル結合、アミド結合、エーテル結合の少なくとも１つを介して結合しているカチオン界面活性剤）から選択された１種以上の界面活性剤、および（Ｄ）アルコール系水溶性溶剤を必須成分とすることを特徴とする水性ワックス組成物。
【請求項２】
（Ａ）成分がカルナバワックスである請求項１記載の水性ワックス組成物。
【請求項３】
（Ｂ）成分が炭化水素基と窒素原子がエステル結合を介して結合している第４級アンモニウム塩型カチオン界面活性剤である請求項１〜２に記載の水性ワックス組成物。
【請求項４】
（Ｃ）成分が長鎖炭化水素基と窒素原子がエステル結合、アミド結合、エーテル結合の少なくとも１つを介して結合しているカチオン界面活性剤である請求項１〜３のいずれか１項に記載の水性ワックス組成物。
【請求項５】
（Ｃ）成分がエステル基を有する非イオン界面活性剤である請求項１〜３のいずれか１項に記載の水性ワックス組成物。
【請求項６】
さらに、（Ｅ）成分として非水溶性液状エステル化合物を含有する請求項１〜５のいずれか１項に記載の水性ワックス組成物。
【発明の詳細な説明】
【技術分野】
【０００１】
本発明は車体などの塗装面に撥水性や光沢性を付与する水性ワックス組成物に関する。
【背景技術】
【０００２】
現在、自動洗車装置は広く普及しており、ほとんどのガソリンスタンドに門型自動洗車機が備えられている。この自動洗車機を使用した洗車は装置システムによって若干異なるが、基本は洗浄工程→ワックス工程→ブロー乾燥工程の順となっており、これに加えてワックス効果を高めるための下地剤処理工程、中間水洗工程、シリコーン系薬剤を使用するコート剤工程などが入るケースも多い。
【０００３】
この中のワックス工程は、あらかじめ希釈した水性ワックス組成物を自動的に吸い上げ車体噴霧する方法や、水性ワックス組成物の原液を吸い上げライン中で希釈して車体に噴霧する方法がとられているが、最近は後者が多くなっている。このためワックス工程に使用される水性ワックス組成物には、水に素早く、安定に溶解・分散し、ラインやノズルに固形物付着・詰まりを起こさないことが要求される。また、自動洗車機の設置場所はほとんどが屋外であり、夏季、冬季の過酷な高温安定性、低温安定性も要求される。加えて、水性ワックス組成物の使用目的である撥水性や光沢性付与で高い効果が求められることはいうまでもない。
【０００４】
現在、自動洗車機用水性ワックス組成物は固形ワックスをカチオン界面活性剤などでほぼ透明に可溶化させたものが一般的である。たとえば特許文献１には固形ワックス、ジ長鎖アルキル型第４級アンモニウム塩、ポリオキシエチレンアルキルエーテル及び多価アルコールを成分とする自動車用ワックス剤組成物が開示されている。特許文献２にはワックス成分、カチオン系界面活性剤、エステル系溶剤、アルコール系溶剤及びエチレングリコールを成分とする水性濃縮ワックス組成物が開示されている。特許文献３には直鎖α―オレフィン系炭化水素、グリコールエーテル類、固形ワックス、ジアルキル第４級アンモニウム塩、ポリオキシエチレンアルキルアミン、長鎖アルキルアミン酢酸塩及びイソパラフィン系炭化水素を成分とする自動洗車機用ワックス組成物が開示されている。
【０００５】
近年、環境や安全に対する対策も重要課題となっている。内分泌攪乱物質（環境ホルモン）の問題や労働衛生安全法、ＰＲＴＲ法への対策を施した水性ワックス組成物として、特許文献４にはワックス成分、カチオン界面活性剤、α−オレフィン系溶剤、カルボン酸エステル系溶剤及びグリコール系溶剤を成分とする洗車用水性ワックス剤が、特許文献５にはカチオン界面活性剤、ノニオン界面活性剤、カルボン酸エステル及び高級アルコールを成分とする洗車用水性ワックス剤が開示されている。しかし、河川へ排出した場合の生分解性や生物に対する毒性、下水処理での分解のし易さについては全く考慮されていない。また、生分解性に言及した水性ワックス組成物として特許文献６には
【０００６】
【化１】
2012021082.tif 000002
【０００７】
（式中、Ｒ１は水素原子、Ｃ１〜Ｃ４のアルキル基又はＣ２〜Ｃ４のヒドロキシアルキル基を表わし、Ｒ２及びＲ３はＣ１〜Ｃ４のアルキル基、Ｃ２〜Ｃ４のヒドロキシアルキル基又は−Ｒ５ＯＣＯＲ６を表わし、Ｒ４は−Ｒ５ＯＣＯＲ６を表わし、Ｒ５はアルキレン基を表わし、Ｒ６は脂肪酸からカルボキシル基を除いた残基を表わし、Ｘはアニオン性原子又はアニオン性基を表わす。）で表わされる化合物からなるワックス用乳化乃至可溶化剤、及びそれを含む水性ワックス組成物が開示されている。しかし、水性ワックス組成物の外観透明性、高温安定性、低温安定性、希釈安定性、ノズル詰まり性、等、実使用性能については全く考慮されていない。
【先行技術文献】
【特許文献】
【０００８】
【特許文献１】特開平１−２２５６８２号公報
【特許文献２】特開平７−２３８２６１号公報
【特許文献３】特開平１１−８０６７３号公報
【特許文献４】特開２００４−３５２８４３号公報
【特許文献５】特開２００５−２６３９３４号公報
【特許文献６】特開２００１−１６４１２０号公報
【発明の概要】
【発明が解決しようとする課題】
【０００９】
ガソリンスタンドは全国津々浦々に存在し自動洗車機もまた全国津々浦々に存在する。水性ワックス組成物が自動洗車機で使用された場合、自動車車体表面に残存して有効に生かされるのは極わずかであり、大部分が廃水として排出される。下水道が完備した都市部であっても生分解性の悪い製品の使用は大きな問題であり、また、希釈安定性が悪い場合、ワックス分が沈殿・固化し排水管を詰まらせるなどのトラブルを引き起こす。一方廃水が直接河川や農業用水などの自然環境に放流される場合、環境問題は非常に重要となる。放流される水性ワックス組成物にはすばやく生分解・消失することや水生生物に対し魚毒性などの悪影響が少ないことが望まれる。しかしながら、高温安定性、低温安定性、希釈安定性、撥水性、光沢性といった実使用性能と生分解性、魚毒性といった環境・安全性能の両立は非常に難しい技術課題である。環境を考慮した水性ワックス組成物の特許が出願され始めてから１０年以上経過しているが、この課題は解決されておらず市場で満足される製品も出ていない。
【００１０】
本発明の目的は、実使用性能と環境性能の両立を充分満足できるレベルで実現した水性ワックス組成物を提供することにある。
【課題を解決するための手段】
【００１１】
上記の目的を達成する本発明は、
（１）（Ａ）分子内にエステル基を含有する天然ワックス、（Ｂ）炭素数１０以上の長鎖炭化水素基を２個有し、この長鎖炭化水素基の少なくとも１個と４級化された窒素原子が、エステル結合、アミド結合、エーテル結合の少なくとも１種を介して結合している第４級アンモニウム塩型カチオン界面活性剤、（Ｃ）ＨＬＢ１０以上の非イオン界面活性剤、炭素数１０以上の長鎖炭化水素基を１個のみ有するベタイン型界面活性剤、同型のアミノ酸型界面活性剤、同型のペプチド型界面活性剤、同型のカチオン界面活性剤（但しカチオン界面活性剤が４級塩の場合は、長鎖炭化水素基と４級化された窒素原子がエステル結合、アミド結合、エーテル結合の少なくとも１種を介して結合しているカチオン界面活性剤）から選択された１種以上の界面活性剤、および（Ｄ）アルコール系水溶性溶剤を必須成分とすることを特徴とする水性ワックス組成物、
（２）（Ａ）成分がカルナバワックスである上記（１）に記載の水性ワックス組成物、
（３）（Ｂ）成分が炭化水素基と窒素原子がエステル結合を介して結合している第４級アンモニウム塩型カチオン界面活性剤である上記（１）または（２）に記載の水性ワックス組成物、
（４）（Ｃ）成分が長鎖炭化水素基と窒素原子がエステル結合、アミド結合、エーテル結合の少なくとも１つを介して結合しているカチオン界面活性剤である上記（１）〜（３）のいずれか１項に記載の水性ワックス組成物、
（５）（Ｃ）成分がエステル基を有する非イオン界面活性剤である上記（１）〜（３）のいずれか１項に記載の水性ワックス組成物、
（６）さらに、（Ｅ）成分として非水溶性液状エステル化合物を含有する上記（１）〜（５）のいずれか１項に記載の水性ワックス組成物、
からなるものである。
【発明を実施するための形態】
【００１２】
本発明の水性ワックス組成物について詳述する。
本発明において（Ａ）成分として用いられる分子内にエステル基を有する天然ワックスとしては、高級脂肪酸の高級アルコールエステルや広義のワックスとなる高融点脂肪酸のトリグリセリドなど、常温固体の天然由来エステル化合物が使用できる。この例としては、カルナバワックス、蜜蝋、サトウキビ蝋、パーム蝋、鯨蝋、キャンデリラワックス、ライスワックス、ひまわりワックス、ハゼ蝋、ウルシ蝋、モンタンワックス、等が挙げられる。また、硬化ひまし油、硬化パーム油、硬化牛脂、等の油脂加工品も挙げられる。これらのワックスは単独または数種組み合わせで使用できるが、特にカルナバワックスを単独または数種組み合わせの１成分として使用したものが、撥水性、光沢性や製品の外観透明性で良好である。
【００１３】
本発明において、（Ｂ）成分は、炭素数１０以上の長鎖炭化水素基を２個有し、この長鎖炭化水素基の少なくとも１個と４級化された窒素原子がエステル結合、アミド結合、エーテル結合の少なくとも１種を介して結合している第４級アンモニウム塩型カチオン界面活性剤である。
【００１４】
この内、エステル結合を介して結合しているカチオン界面活性剤の例としては、N-長鎖アルカノイルオキシ短鎖アルキル-N-長鎖アルキルジ短鎖アルキルアンモニウム塩、N,N-ジ（長鎖アルカノイルオキシ短鎖アルキル）ジ短鎖アルキルアンモニウム塩、N,N-ジ（長鎖アルカノイルオキシ短鎖アルキル）-N-ヒドロキシ短鎖アルキルモノ短鎖アルキルアンモニウム塩、N,N,N-トリ（長鎖アルカノイルオキシ短鎖アルキル）モノ短鎖アルキルアンモニウム塩、N-長鎖アルケノイルオキシ短鎖アルキル-N-長鎖アルキルジ短鎖アルキルアンモニウム塩、N,N-ジ（長鎖アルケノイルオキシ短鎖アルキル）ジ短鎖アルキルアンモニウム塩、N,N-ジ（長鎖アルケノイルオキシ短鎖アルキル）-N-ヒドロキシ短鎖アルキルモノ短鎖アルキルアンモニウム塩、N,N,N-トリ（長鎖アルケノイルオキシ短鎖アルキル）モノ短鎖アルキルアンモニウム塩、等が挙げられる。
【００１５】
また、アミド結合を介して結合しているカチオン界面活性剤の例としては、N-長鎖アルカノイルアミノ短鎖アルキル-N-長鎖アルキルジ短鎖アルキルアンモニウム塩、N,N-ジ（長鎖アルカノイルアミノ短鎖アルキル）ジ短鎖アルキルアンモニウム塩、N,N-ジ（長鎖アルカノイルアミノ短鎖アルキル）-N-ヒドロキシ短鎖アルキルモノ短鎖アルキルアンモニウム塩、N,N,N-トリ（長鎖アルカノイルアミノ短鎖アルキル）モノ短鎖アルキルアンモニウム塩、N-長鎖アルケノイルアミノ短鎖アルキル-N-長鎖アルキルジ短鎖アルキルアンモニウム塩、N,N-ジ（長鎖アルケノイルアミノ短鎖アルキル）ジ短鎖アルキルアンモニウム塩、N,N-ジ（長鎖アルケノイルアミノ短鎖アルキル）-N-ヒドロキシ短鎖アルキルモノ短鎖アルキルアンモニウム塩、N,N,N-トリ（長鎖アルカノイルアミノ短鎖アルキル）モノ短鎖アルキルアンモニウム塩、等が挙げられる。
【００１６】
また、エーテル結合を介して結合しているカチオン界面活性剤の例としては、N-長鎖アルコキシ（ヒドロキシ短鎖）アルキル長鎖アルキルジ短鎖アルキルアンモニウム塩などが挙げられる。ここで長鎖アルカノイルおよび長鎖アルケノイル基は天然油脂から得られる脂肪酸からヒドロキシ基を除いた残基であり二重結合を複数個持つものも含まれる。長鎖アルコキシは炭素数１０〜３０の高級アルコールから水素を除いた残基であり、長鎖アルキルは炭素数１０〜３０の炭化水素基であり、短鎖アルキルは炭素数１〜４の直鎖状または分岐状の炭化水素を表わす。
【００１７】
また、これら第４級アンモニウム塩型カチオン界面活性剤の対イオンの例として、メチル硫酸イオン、塩素イオン、臭素イオン、水酸イオン、等が挙げられる。
【００１８】
これらカチオン界面活性剤の中で、エステル結合を介して結合しているカチオン界面活性剤が（Ａ）成分および（Ｃ）成分との組み合わせにおいて、外観透明性、環境微生物への影響の点で特に優れている。
【００１９】
本発明において、（Ｃ）成分として用いられる界面活性剤の内、ＨＬＢ１０以上の非イオン界面活性剤の化合物例として、ポリオキシアルキレンアルキルエーテル、ポリオキシアルキレンアルキルフェニルエーテル、ポリオキシアルキレン系ブロックポリマー、ポリオキシアルキレン脂肪酸エステル、ポリオキシアルキレンソルビタン脂肪酸エステル、脂肪酸蔗糖エステル、脂肪酸ポリグリセリンエステル、アルキルポリグルコシド、アルキルアミンアルキレンオキサイド付加物、N-アルキルアルキレンポリアミンアルキレンオキサイド付加物、アルキルアミドアルキレンオキサイド付加物、等が挙げられる。これら化合物例の非イオン界面活性剤であってもＨＬＢ１０未満のものは除外される。また、これら非イオン界面活性剤のＯＨ末端をアルキルエーテル化などで封鎖したものもＨＬＢ１０以上であれば使用できる。
【００２０】
本発明において、（Ｃ）成分として用いられる界面活性剤の内、炭素数１０以上の炭化水素基を１個のみ有する両性界面活性剤の例としては、アルキルアミノ酢酸ベタイン、アルキルジヒドロキシエチルアミノ酢酸ベタイン、アルキルアミドプロピルベタイン、アルキルイミダゾリニウムベタイン、アルキルスルホベタイン、等が挙げられる。
【００２１】
本発明において、（Ｃ）成分として用いられる界面活性剤の内、同型のアミノ酸型界面活性剤の例としてはアルキルジアミノエチルグリシン、N-アルキル-N-カルボキシエチル-β-アラニン塩、N-アルコキシヒドロキシプロピル-L-アルギニン塩酸塩、等が挙げられ、同型のペプチド型界面活性剤の例としてはコラーゲンなどから誘導されるアシル化加水分解蛋白質などが挙げられ、同型のアミンオキシド型界面活性剤の例としては、デシル、ラウリル、ミリスチル、等のアルキル基を持つアルキルジメチルアミンオキシドが挙げられる。同型のカチオン界面活性剤の例としては、ラウリルアミン酢酸塩、オレイルアミン塩酸塩、パルミチルアミン酢酸塩、ラウリルジ（ヒドロキシエチル）アミン酢酸塩、N-ステアリルプロピレンジアミン酢酸塩、等が挙げられる。また、４級塩で長鎖炭化水素基と窒素原子がエステル結合、アミド結合、エーテル結合の少なくとも１種を介して結合しているカチオン界面活性剤の例としては、N-長鎖アルカノイルオキシ短鎖アルキル-トリ短鎖アルキルアンモニウム塩、N-長鎖アルカノイルオキシ短鎖アルキルジヒドロキシ短鎖アルキルモノ短鎖アルキルアンモニウム塩、N-長鎖アルカノイルオキシ短鎖アルキル-N-ヒドロキシ短鎖アルキルジ短鎖アルキルアンモニウム塩、N-長鎖アルカノイルアミノ短鎖アルキル-トリ短鎖アルキルアンモニウム塩、N-長鎖アルカノイルアミノ短鎖アルキルジ（ヒドロキシ短鎖アルキル）モノ短鎖アルキルアンモニウム塩、N-長鎖アルカノイルアミノ短鎖アルキル-N-ヒドロキシ短鎖アルキルジ短鎖アルキルアンモニウム塩、N-（長鎖アルコキシヒドロキシ短鎖アルキル）トリ短鎖アルキルアンモニウム塩、等が挙げられる。
【００２２】
これら（Ｃ）成分として使用される界面活性剤の中で、カチオン界面活性剤が（Ａ）成分および（Ｂ）成分との組み合わせにおいて、外観透明性、撥水性の点で特に優れている。また、脂肪酸エステル型界面活性剤が（Ａ）成分および（Ｂ）成分との組み合わせにおいて、外観透明性、環境微生物への影響の点で特に優れている。なお、これら界面活性剤は（Ｃ）成分として単独または複数組み合わせて使用できる。
【００２３】
本発明において、（Ｄ）成分として用いられるアルコール系水溶性溶剤の例としては、メタノール、エタノール、プロパノール、イソプロパノール、等の低級アルコール、エチレングリコール、プロピレングリコール、ブチレングリコール、等のグリコール類、グリセリン、ソルビトール、等の多価アルコール、ジエチレングリコール、トリエチレングリコール、ジプロピレングリコール、トリプロピレングリコール、等のグリコール２，３量体、エチレングリコールモノメチルエーテル、ジエチレングリコールモノメチルエーテル、トリエチレングリコールモノメチルエーテル、エチレングリコールモノブチルエーテル、ジエチレングリコールモノブチルエーテル、トリエチレングリコールモノブチルエーテル、プロピレングリコールモノメチルエーテル、ジプロピレングリコールモノメチルエーテル、トリプロピレングリコールモノメチルエーテル、ジプロピレングリコールモノブチルエーテル、トリプロピレングリコールモノブチルエーテル、等のアルキルグリコールエーテルなどが挙げられる。
【００２４】
本発明は（Ａ）成分、（Ｂ）成分、（Ｃ）成分、（Ｄ）成分の４成分を必須成分とするものである。この４成分のそれぞれは単独でも複数組み合わせでも使用可能であるが、４成分中の１成分でも使用しない場合や、４成分中の１種以上の成分を他の物質で置き換えた場合、外観透明性、高温安定性、低温安定性、凍結安定性、希釈安定性、環境微生物への影響、魚毒性、撥水性、光沢性のいずれか１項目ないし複数項目で重大な欠陥が生ずる。
【００２５】
本発明において各成分の配合量に言及することはあまり意味がない。なぜなら本発明品は数十倍から数百倍に希釈して使用されるものであり、希釈倍率でいくらでも調節可能であるからである。本発明が（Ａ）〜（Ｄ）成分の比率でなんら制約を受けるものではないが、各成分の相対比率は重要である。（Ａ）成分に対する（Ｂ）成分の比率（Ｂ）／（Ａ）は１０／１〜１／５が望ましい。より望ましくは３／１〜１／５である。（Ｂ）成分がこの範囲より少ないと外観透明性や撥水性で性能悪化する。多すぎても各種性能はほとんど向上せず、環境への負荷が大きくなる。（Ｃ）成分は（Ｂ）成分に対する比率が重要である。（Ｂ）成分に対する（Ｃ）成分の比率（Ｃ）／（Ｂ）は４／１〜１／５が望ましい。より望ましくは２／１〜１／３である。（Ｃ）成分の比率がこの範囲より小さいと外観透明性や希釈安定性で性能悪化する。この範囲より大きいと撥水性、光沢性で劣るものとなる。（Ｄ）成分は（Ａ）〜（Ｃ）成分とは関係なく２〜２０％配合するのが望ましい。より望ましくは５〜１５％である。この範囲より多くても、少なくても、高温安定性、低温安定性、凍結安定性、希釈安定性のいずれかまたは複数で性能悪化する。
【００２６】
本発明においては、上記（Ａ）〜（Ｄ）成分とともに、（Ｅ）成分として非水溶性液状エステル化合物を添加することができる。
【００２７】
（Ｅ）成分として使用される非水溶性液状エステル化合物は特に制限されないが、融点が低いものがより望ましい。（Ｅ）成分のエステルは酸とアルコールから合成されるが、（Ｅ）成分のエステルを構成する酸の例を挙げると、ラウリン酸、オレイン酸、等の単体脂肪酸、ヤシ油脂肪酸、パーム油脂肪酸、米ぬか油脂肪酸、等の植物油脂肪酸、牛脂脂肪酸、豚脂脂肪酸、等の動物油脂肪酸などが挙げられる。
【００２８】
（Ｅ）成分のエステルを構成するアルコールの例を挙げると、メチルアルコール、エチルアルコール、ブチルアルコール、オクチルアルコール、ラウリルアルコール、オレイルアルコール、等の一価アルコール、エチレングリコール、プロピレングリコール、グリセリン、ソルビトール、等の多価アルコールなどが挙げられる。また、脂肪酸のグリセリンエステルであるオリーブ油、菜種油、米ぬか油、ひまわり油、サフラワー油、等の天然油脂や回収てんぷら油などのリサイクル油もそのまま使用できる。
【実施例】
【００２９】
以下に実施例により本発明をさらに詳細に説明するが、本発明はこれら実施例に限定されるものではない。なお、実施例中の％は特に断りがない場合は重量％を示す。
＜実施例および比較例の水性ワックス組成物＞
（製造方法）
表１〜３に示した組成を有する実施例１〜１９および比較例１〜１２の水性ワックス組成物を調製した。調製は、各組成の水以外の原料を９５℃に加熱混合したものを攪拌しつつ、これに９０℃の湯を徐々に添加して行った。なお、表３において、比較例１３および１４の水性ワックス組成物は市販品ＡおよびＢである。
【００３０】
【表１】
2012021082.tif 000003
【００３１】
【表２】
2012021082.tif 000004
【００３２】
【表３】
2012021082.tif 000005
【００３３】
（評価方法）
（１）外観透明性
調製サンプルを直径５５ｍｍのビーカーに深さ５０ｍｍまで採取し、十文字を書いた白紙上に置き、肉眼にて以下の５段階評価を行った。
５．ほぼ完全透明。
４．微濁透明。
３．白濁透明。十文字が何とか見える程度。
２．不透明乳化状態。分離はない。
１．不均一で分離が見られる。
【００３４】
（２）高温安定性
調製サンプルを４５℃で１ヶ月間放置した。その後、前記外観透明性試験を行い、高温放置前後の変化によって３段階評価を行った。
３．変化なしまたは良化。
２．１段階悪化。
１．２段階以上悪化。
【００３５】
（３）低温安定性
調製サンプルを−５℃で１ヶ月間放置した。その後、前記外観透明性試験を行い、低温放置前後の変化によって３段階評価を行った。
３．変化なしまたは良化。
２．１段階悪化。
１．２段階以上悪化。
【００３６】
（４）凍結安定性
調製サンプルを−１５℃で１日間放置後、室温で解凍した。その後、前記外観透明性試験を行い、放置前後の変化によって３段階評価を行った。
３．変化なし、良化または凍結せず。
２．１段階悪化。
１．２段階以上悪化。
【００３７】
（５）希釈安定性
調製サンプルを２０℃水道水で３００倍に希釈し、それを４５℃で７日間放置した。肉眼観察により５段階評価を行った。
５．透明溶解。
４．微濁均一溶解。
３．白濁均一溶解。
２．白濁、凝集物あり。
１．白濁、凝集し容器壁面付着物あり。
【００３８】
（６）環境微生物への影響
ため池水を採取しＮｏ．５Ａろ紙でろ過した水を使用して各調整サンプルの１０００ｐｐｍ液を作製した。この液を２５℃で２４時間放置後ＯＸＯＩＤ社製ディップスライドによって一般細菌およびカビ類の残存をチェックした。なお、同時にブランク試験を行い一般細菌、カビ類が大量に存在していることを確認している。評価は以下の３段階で行った。
３．一般細菌、カビ類の数がブランクと変わらない。またはより多い。
２．一般細菌、カビ類の数がブランクより減少しているが存在している。
１．一般細菌、カビ類が死滅し存在しない。
【００３９】
（７）魚毒性
ＪＩＳ  Ｋ  ０１０２「工場排水試験方法」に準じて試験を行った。
（ｉ） 試験魚：ヒメダカ（平均体重０．１９ｇ）
（ii） 試験魚数：各試験水１０尾
（iii）試験水：バブリングにより脱塩素した水道水
（iv） 試験水量：５リットル
（ｖ） 試験濃度：各ワックス試料２００ｐｐｍ
評価は９６時間後の生存率により以下の６段階で行った。なお、ブランク試験（ワックス無添加）は１００％生存であった。
５．生存率  １００％
４．生存率  ８０〜９０％
３．生存率  ６０〜７０％
２．生存率  ４０〜５０％
１．生存率  １０〜３０％
０．生存率  ０％
【００４０】
（８）撥水性、光沢性
ビユーテー社製門型自動洗車機を使用した。工程は
＜１往＞洗浄  →  ＜１復＞下地剤処理  →  ＜２往＞ワックス処理  →  ＜２復＞ブロー（乾燥）
の２往復であった。評価は撥水性、光沢性ともに以下の３段階で行った。
３．良好
２．普通
１．不良
【００４１】
これらの結果を表１〜３に示す。本発明の水性ワックス組成物である実施例１〜１９の水性ワックス組成物は全ての評価項目で満足すべき性能となった。これに対して、比較例の１〜１４の水性ワックス組成物ではいずれかの評価項目で重大な欠点を有した。